(57)【要約】【目的】電源オン直後の撮像により得られる被写体像に生じる傷を補正する。【構成】基準被写体が５回撮像される。１駒目の基準被写体像から傷のアドレスおよび個数が算出される。２駒目から５駒目の基準被写体像から傷のアドレスおよび傷の平均個数が算出される。１駒目の基準被写体像の傷のアドレスおよび個数はカメラに内蔵されるメモリの記憶領域ｍ４およびｍ２に記憶され，２駒目から５駒目の基準被写体像の傷のアドレスおよび平均個数はカメラに内蔵されるメモリの記憶領域ｍ３およびｍ１に記憶される。１駒目の被写体像の傷補正が行われる場合には，記憶領域ｍ２およびｍ４に記憶されている１駒目の被写体像の傷補正用のデータを用いて傷補正が行われる。２駒目から５駒目の被写体像の傷補正が行われる場合には，記憶領域ｍ１およびｍ３に記憶されている２駒目から５駒目の被写体像の傷補正用のデータを用いて傷補正が行われる。【選択図】図６
2008306507.tif 000002
【特許請求の範囲】
【請求項１】
シャッタ・レリーズ・ボタン，
上記シャッタ・レリーズ・ボタンの押下に応じて，ディジタル・カメラの撮像部の電源をオンにする電源制御手段，
上記電源制御手段によりディジタル・カメラの撮像部の電源がオンされた後に基準被写体を複数回撮像し，複数駒の被写体像データを出力する固体電子撮像素子，
上記固体電子撮像素子によって撮像された１駒目の基準被写体像から，１駒目の基準被写体像における第１の傷位置を検出する第１の検出手段，
上記固体電子撮像素子によって撮像された２駒目以降の基準被写体像から，２駒目以降の基準被写体像における第２の傷位置を検出する第２の検出手段，および
上記第１の検出手段によって検出された第１の傷位置を示すデータを第１の記憶領域に記憶し，上記第２の検出手段によって検出された第２の傷位置を示すデータを第１の記憶領域と異なる第２の記憶領域に記憶するメモリ，
を備えたディジタル・カメラ。
【請求項２】
上記第１の検出手段は，１駒目の基準被写体像を表す第１の基準被写体像データから第１のしきい値以上のレベルをもつデータの位置を第１の傷位置として検出するものであり，
上記第２の検出手段は，２駒目以降の基準被写体像を表す第２の基準被写体像データから上記第１のしきい値未満である第２のしきい値以上のレベルをもつデータの位置を第２の傷位置として検出するものである，
請求項１に記載のディジタル・カメラ。
【請求項３】
シャッタ・レリーズ・ボタン，
上記シャッタ・レリーズ・ボタンの押下に応じて，ディジタル・カメラの撮像部の電源をオンする電源制御手段，
上記電源制御手段によりディジタル・カメラの撮像部の電源がオンされた後に被写体像を複数回撮像し，複数駒の被写体像を表す画像データを出力する固体電子撮像素子，
１駒目の被写体像における傷位置を示す第１の傷位置データが第１の記憶領域に記憶され，２駒目以降の被写体像における傷位置を示す第２の傷位置データが第１の記憶領域と異なる第２の記憶領域に記憶されているメモリ，および
上記固体電子撮像素子から出力された１駒目の被写体像データについては，上記メモリの第１の記憶領域に記憶されている第１の傷位置データによって示される傷位置の被写体像データを補正し，上記固体電子撮像素子から出力された２駒目以降の被写体像データについては，上記メモリの第２の記憶領域に記憶されている第２の傷位置データによって示される傷位置の被写体像データを補正する傷補正手段，
を備えたディジタル・カメラ。
【請求項４】
電源制御手段が，シャッタ・レリーズ・ボタンの押下に応じて，ディジタル・カメラの撮像部の電源をオンにし，
固体電子撮像素子が，上記電源制御手段によりディジタル・カメラの撮像部の電源がオンされた後に基準被写体を複数回撮像し，複数駒の被写体像データを出力し，
第１の検出手段が，上記固体電子撮像素子によって撮像された１駒目の基準被写体像から，１駒目の基準被写体像における第１の傷位置を検出し，
第２の検出手段が，上記固体電子撮像素子によって撮像された２駒目以降の基準被写体像から，２駒目以降の基準被写体像における第２の傷位置を検出し，
メモリが，上記第１の検出手段によって検出された第１の傷位置を示すデータを第１の記憶領域に記憶し，上記第２の検出手段によって検出された第２の傷位置を示すデータを第１の記憶領域と異なる第２の記憶領域に記憶する，
ディジタル・カメラの動作制御方法。
【請求項５】
電源制御手段が，シャッタ・レリーズ・ボタンの押下に応じて，ディジタル・カメラの撮像部の電源をオンし，
固体電子撮像素子が，上記電源制御手段によりディジタル・カメラの撮像部の電源がオンされた後に被写体像を複数回撮像し，複数駒の被写体像を表す画像データを出力し，
メモリが，１駒目の被写体像における傷位置を示す第１の傷位置データを第１の記憶領域に記憶し，２駒目以降の被写体像における傷位置を示す第２の傷位置データが第１の記憶領域と異なる第２の記憶領域に記憶し，
傷補正手段が，上記固体電子撮像素子から出力された１駒目の被写体像データについては，上記メモリの第１の記憶領域に記憶されている第１の傷位置データによって示される傷位置の被写体像データを補正し，上記固体電子撮像素子から出力された２駒目以降の被写体像データについては，上記メモリの第２の記憶領域に記憶されている第２の傷位置データによって示される傷位置の被写体像データを補正する，
ディジタル・カメラの動作制御方法。
【発明の詳細な説明】
【技術分野】
【０００１】
この発明は，ディジタル・カメラおよびその動作制御方法に関する。
【背景技術】
【０００２】
ディジタル・スチル・カメラ，ディジタル・ムービ・カメラなどにおいては，固体電子撮像素子を用いて被写体が撮像される。固体電子撮像素子を用いて被写体を撮像すると，固体電子撮像素子の画素欠陥その他の理由により被写体像に傷と呼ばれる箇所ができてしまうことがある。このような傷を補正するために，傷の位置をあらかじめ検出し，撮像された被写体像のその傷の位置を補正することがある。また，垂直方向に生じる線の傷を補正するものもある（特許文献１）。
【特許文献１】特開2006-148392号公報
【０００３】
しかしながら，ディジタル・カメラの電源を入れた直後に撮像された１駒目の被写体像に傷が発生し，２駒目以降の被写体像には傷が発生しないようなものもある。このような場合に，撮像された複数駒の被写体像のすべてに一律に傷補正すると，２駒目以降の被写体像については傷が無いにもかかわらず傷補正されてしまうこととなる。
【発明の開示】
【０００４】
この発明は，ディジタル・カメラの電源を入れた直後に撮像された１駒目の被写体像に発生するような傷を補正できるようにすることを目的とする。
【０００５】
第１の発明によるディジタル・カメラは，シャッタ・レリーズ・ボタン，上記シャッタ・レリーズ・ボタンの押下に応じて，ディジタル・カメラの撮像部の電源をオンにする電源制御手段，上記電源制御手段によりディジタル・カメラの撮像部の電源がオンされた後に基準被写体を複数回撮像し，複数駒の被写体像データを出力する固体電子撮像素子，上記固体電子撮像素子によって撮像された１駒目の基準被写体像から，１駒目の基準被写体像における第１の傷位置を検出する第１の検出手段，上記固体電子撮像素子によって撮像された２駒目以降の基準被写体像から，２駒目以降の基準被写体像における第２の傷位置を検出する第２の検出手段，および上記第１の検出手段によって検出された第１の傷位置を示すデータを第１の記憶領域に記憶し，上記第２の検出手段によって検出された第２の傷位置を示すデータを第１の記憶領域と異なる第２の記憶領域に記憶するメモリを備えていることを特徴とする。
【０００６】
第１の発明は，上記ディジタル・カメラに適した動作制御方法も提供している。すなわち，この方法は，電源制御手段が，シャッタ・レリーズ・ボタンの押下に応じて，ディジタル・カメラの撮像部の電源をオンにし，固体電子撮像素子が，上記電源制御手段によりディジタル・カメラの撮像部の電源がオンされた後に基準被写体を複数回撮像し，複数駒の被写体像データを出力し，第１の検出手段が，上記固体電子撮像素子によって撮像された１駒目の基準被写体像から，１駒目の基準被写体像における第１の傷位置を検出し，第２の検出手段が，上記固体電子撮像素子によって撮像された２駒目以降の基準被写体像から，２駒目以降の基準被写体像における第２の傷位置を検出し，メモリが，上記第１の検出手段によって検出された第１の傷位置を示すデータを第１の記憶領域に記憶し，上記第２の検出手段によって検出された第２の傷位置を示すデータを第１の記憶領域と異なる第２の記憶領域に記憶するものである。
【０００７】
第１の発明によると，シャッタ・レリーズ・ボタンの押下に応じて，ディジタル・カメラの撮像部の電源がオンされる。基準被写体が複数回撮像され，複数駒の基準被写体像を表す画像データが得られる。１駒目の基準被写体像から１駒目の基準被写体像における第１の傷位置が検出される。２駒目以降の基準被写体像から２駒目以降の基準被写体像における第２の傷位置が検出される。検出された第１の傷位置を示すデータはメモリの第１の記憶領域に記憶され，検出された第２の傷位置を示すデータはメモリの第２の記憶領域に記憶される。１駒目の被写体像での傷位置を示す第１の傷位置と２駒目以降の被写体像での傷位置を示す第２の傷位置とが得られるから，撮像部の電源をオンした後に複数回の撮像が行われ，複数駒の被写体像が得られた場合に，１駒目の被写体像については第１の傷位置にもとづく傷補正ができ，２駒目以降の被写体像については第２の傷位置にもとづく傷補正ができる。１駒目に発生するような傷を，１駒目のみ補正できるようになる。
【０００８】
上記第１の検出手段は，たとえば，１駒目の基準被写体像を表す第１の基準被写体像データから第１のしきい値以上のレベルをもつデータの位置を第１の傷位置として検出するものであり，上記第２の検出手段は，２駒目以降の基準被写体像を表す第２の基準被写体像データから上記第１のしきい値未満である第２のしきい値以上のレベルをもつデータの位置を第２の傷位置として検出するものである。第１の傷位置を検出するのに用いられる第１のしきい値は，第２の傷位置を検出するのに用いられる第２のしきい値よりも大きいので，比較的大きなレベルをもつ傷を検出することとなる。
【０００９】
第２の発明によるディジタル・カメラは，シャッタ・レリーズ・ボタン，上記シャッタ・レリーズ・ボタンの押下に応じて，ディジタル・カメラの撮像部の電源をオンする電源制御手段，上記電源制御手段によりディジタル・カメラの撮像部の電源がオンされた後に被写体像を複数回撮像し，複数駒の被写体像を表す画像データを出力する固体電子撮像素子，１駒目の被写体像における傷位置を示す第１の傷位置データが第１の記憶領域に記憶され，２駒目以降の被写体像における傷位置を示す第２の傷位置データが第１の記憶領域と異なる第２の記憶領域に記憶されているメモリ，および上記固体電子撮像素子から出力された１駒目の被写体像データについては，上記メモリの第１の記憶領域に記憶されている第１の傷位置データによって示される傷位置の被写体像データを補正し，上記固体電子撮像素子から出力された２駒目以降の被写体像データについては，上記メモリの第２の記憶領域に記憶されている第２の傷位置データによって示される傷位置の被写体像データを補正する傷補正手段を備えていることを特徴とする。
【００１０】
第２の発明は，上記ディジタル・カメラに適した動作制御方法も提供している。すなわち，この方法は，電源制御手段が，シャッタ・レリーズ・ボタンの押下に応じて，ディジタル・カメラの撮像部の電源をオンし，固体電子撮像素子が，上記電源制御手段によりディジタル・カメラの撮像部の電源がオンされた後に被写体像を複数回撮像し，複数駒の被写体像を表す画像データを出力し，メモリが，１駒目の被写体像における傷位置を示す第１の傷位置データを第１の記憶領域に記憶し，２駒目以降の被写体像における傷位置を示す第２の傷位置データが第１の記憶領域と異なる第２の記憶領域に記憶し，傷補正手段が，上記固体電子撮像素子から出力された１駒目の被写体像データについては，上記メモリの第１の記憶領域に記憶されている第１の傷位置データによって示される傷位置の被写体像データを補正し，上記固体電子撮像素子から出力された２駒目以降の被写体像データについては，上記メモリの第２の記憶領域に記憶されている第２の傷位置データによって示される傷位置の被写体像データを補正するものである。
【００１１】
第２の発明によると，１駒目の被写体像における傷位置を示す第１の傷位置データがメモリの第１の記憶領域に記憶され，２駒目の被写体像における傷位置を示す第２の傷位置データがメモリの第２の記憶領域に記憶されている。１駒目の被写体像データについては，第１の傷位置データによって示される傷位置の被写体像データが補正され，２駒目の被写体像データについては，第２の傷位置データによって示される傷位置の被写体像データが補正される。１駒目の被写体像に適した傷補正，２駒目以降の被写体像に適した傷補正をそれぞれ行うことができる。
【実施例】
【００１２】
図１は，この発明の実施例を示すもので，ディジタル・カメラの電気的構成を示すブロック図である。
【００１３】
ディジタル・カメラの全体の動作は，ＣＰＵ８によって統括される。
【００１４】
ディジタル・カメラには，シャッタ・レリーズ・ボタン，モード・スイッチその他のスイッチが含まれている操作スイッチ５が設けられている。操作スイッチ５から出力される信号は，ＣＰＵ８に入力する。
【００１５】
ディジタル・カメラには，電源制御回路９が含まれており，この電源制御回路９から撮像電源およびメイン電源が出力される。撮像電源は，駆動回路６その他の撮像系の回路（撮像部）に与えられる。メイン電源は，撮像電源が与えられないその他の回路に与えられる。この実施例におけるディジタル・カメラにおいては，シャッタ・レリーズ・ボタンが押されると撮像電源がＬレベルからＨレベルに立ち上がり，駆動回路６等に撮像電源が供給される。その後機械シャッタが開放され，被写体が撮像される。
【００１６】
上述のように，シャッタ・レリーズ・ボタンが押されると，光線束はレンズ／バリア／シャッタ／絞り１を通過してＣＣＤ２の受光面上に結像する。被写体像を表す画像データがディジタル信号処理回路３に入力して信号処理が行われる。詳しくは後述するように，ＣＣＤの画素欠陥などにより生じる傷補正が行われる場合には，ディジタル信号処理回路３おいて傷補正が行われる。また，傷検出が行われる場合には，ディジタル信号処理回路３から出力された画像データは，メモリ４に与えられ，一時的に記憶される。メモリ４に記憶された画像データが読み出されて傷検出が行われる。メモリ４には，異なるメモリ領域ｍ１〜ｍ４が規定されている。
【００１７】
ディジタル信号処理回路３から出力された画像データは画像表示装置12に与えられる。これにより，撮像により得られた被写体像は画像表示装置12の表示画面に表示される。また，撮像により得られた画像データは，メモリ・カード・インターフェイス11を介してメモリ・カード（図示略）に与えられ，記録される。
【００１８】
さらに，ディジタル・カメラには，ストロボ７およびタイマ10も含まれている。
【００１９】
図２（Ａ），（Ｂ），（Ｃ）は単写モードでのタイム・チャート，図３（Ａ），（Ｂ），（Ｃ）は連写モードでのタイム・チャートを示している。
【００２０】
図２（Ａ），（Ｂ），（Ｃ）を参照して，モード・スイッチにより単写モードが設定されている場合において，時刻ｔ１においてシャッタ・レリーズ・ボタンが押されると，レリーズ信号がＬレベルからＨレベルとなり，撮像電源がＬレベルからＨレベルに立ち上がり始める。撮像電源は，時刻ｔ２でＨレベルとなる。時刻ｔ３でレリーズ信号がＬレベルに立ち下がると時刻ｔ３からｔ４までの機械シャッタが開放され，被写体が撮像される。撮像電源は時刻ｔ５から立ち下がり始め，時刻ｔ６においてＬレベルとなる。
【００２１】
図３（Ａ），（Ｂ），（Ｃ）を参照して，モード・スイッチにより連写モードが設定されている場合において，時刻ｔ11においてシャッタ・レリーズ・ボタンが押されると，レリーズ信号がＬレベルからＨレベルとなり，撮像電源がＬレベルからＨレベルに立ち上がり始める。撮像電源は，時刻ｔ12でＨレベルとなる。時刻ｔ13からｔ14の間，時刻ｔ15からｔ16の間，時刻ｔ17からｔ18の間，時刻ｔ19からｔ20の間，時刻ｔ21からｔ22の間のそれぞれの期間において機械シャッタが開放されて被写体像が５回撮像される。５駒の被写体像が得られる。もちろん，５回の撮像に限らないのはいうまでもない。時刻ｔ23においてレリーズ信号が立ち下がると撮像電源もＨレベルから立下り始め，時刻ｔ24においてＬレベルとなる。
【００２２】
図４および図５は，一面がグレー等の基準被写体を撮像することにより得られる基準被写体像の一例である。
【００２３】
図４は，連写により得られた１駒目の基準被写体像の一例である。
【００２４】
ＣＣＤなどの固体電子撮像素子においては，画素欠陥などにより撮像により得られた被写体像にいわゆる傷と呼ばれるものが生じることがある。このために，１駒目の基準被写体像Ｉ１には傷ｄ１〜ｄ５が含まれている。また，撮像電源がＨレベルに立ち上がった直後（撮像電源のオン直後）の撮像された１駒目の被写体像には，１駒目の被写体像のみに発生し２駒目以降の被写体像には発生しない傷ｄ４およびｄ５が含まれている。
【００２５】
図５は，連写により得られた２駒目の基準被写体像の一例である。
【００２６】
２駒目の基準被写体像Ｉ２には，１駒目の基準被写体像Ｉ１に含まれている傷ｄ１〜ｄ４が発生しているが，１駒目の基準被写体像Ｉ１に固有の傷ｄ４およびｄ５は発生していない。３駒目以降の基準被写体像も２駒目の基準被写体像Ｉ２と同様に傷ｄ１〜ｄ４は含まれているが，１駒目の基準被写体像Ｉ１に固有の傷ｄ５およびｄ６は発生していない。
【００２７】
１駒目の基準被写体像Ｉ１において発生した傷ｄ１〜ｄ６と２駒目の基準被写体像Ｉ２において発生した傷ｄ１〜ｄ４とを区別しないで，１駒目の基準被写体像Ｉ１において発生した傷ｄ１〜ｄ６にもとづいて，連写により得られた５駒の被写体像のすべてに一律に傷補正すると，２駒目から５駒目の被写体像については傷補正する必要の無い傷ｄ５およびｄ６についても傷補正してしまう。２駒目の基準被写体像Ｉ２において発生した傷ｄ１〜ｄ４にもとづいて，連写により得られた５駒の被写体像のすべてに一律に傷補正すると，１駒目の被写体像については傷ｄ５およびｄ６については傷補正されないこととなる。
【００２８】
この実施例においては，１駒目の基準被写体像の傷の位置ｄ１〜ｄ６と２駒目以降基準被写体像の傷の位置ｄ１〜ｄ４とをそれぞれ区別して記憶しておき，１駒目の被写体像の傷補正は，１駒目の傷の位置ｄ１〜ｄ６にもとづいて行い，２駒目以降の被写体像の傷補正は２駒目の傷の位置ｄ１〜ｄ４にもとづいて行うものである。
【００２９】
図６は，メモリ４の記憶領域の一部Ｍを示している。
【００３０】
上述したように，メモリ４には異なる記憶領域ｍ１〜ｍ４が含まれている。
【００３１】
記憶領域ｍ１には２駒目以降の基準被写体像の１駒当たりの傷の個数の平均値を表すデータが格納されている。記憶領域ｍ２には，１駒目の基準被写体像の傷の個数を表すデータが格納されている。記憶領域ｍ３には，２駒目以降の基準被写体像の傷のアドレス（たとえば，図５の傷ｄ１〜ｄ４の位置）が格納されている。記憶領域ｍ４には，１駒目の基準被写体像の傷のアドレス（たとえば，図４の傷ｄ１〜ｄ６の位置）が格納されている。
【００３２】
１駒目の被写体像の傷補正をするときには記憶領域ｍ２から傷の個数を表すデータを読み取り，記憶領域ｍ４から傷のアドレスを表すデータを読み取ることにより，１駒目の被写体像を傷補正すべき箇所が分かる。同様に，駒目以降の被写体像の傷補正をするときには記憶領域ｍ１から傷の個数の平均値を表すデータを読み取り，記憶領域ｍ３から傷のアドレスを表すデータを読み取ることにより，２駒目以降の被写体像を傷補正すべき箇所が分かる。
【００３３】
図７は，傷検出処理手順を示すフローチャートである。
【００３４】
以下の処理では，連写モードが設定されていることが前提とされるが，連写モードに限らず，単写モードが設定された場合にシャッタ・レリーズ・ボタンが複数回押されたときにも同様に処理が行われよう。単写モードが設定された場合にシャッタ・レリーズ・ボタンが複数回押されたときには，シャッタ・レリーズ・ボタンの最初の押下にのみ応答して撮像電源がオンされる。
【００３５】
傷検出処理に行う場合には，まず，一面がグレーなどの基準被写体が用意される。基準被写体に向かってディジタル・カメラが向けられてシャッタ・レリーズ・ボタンが押される（ステップ21でＹＥＳ）。すると撮像部の電源がオンとなる（撮像電源がＨレベルとなる。ステップ22）。つづいて基準被写体が連続して５回撮像される（図３（Ａ），（Ｂ），（Ｃ）参照。ステップ23）。撮像により，５駒分の基準被写体像を表す画像データが得られ，得られた５駒分の基準被写体像を表す画像データがメモリ４に記憶される（ステップ24）。
【００３６】
１駒目の基準被写体像を表す画像データがメモリから読み出され，第１のしきい値以上のレベルをもつデータの箇所が１駒目の基準被写体像の傷として検出される（ステップ25）。１駒目の基準被写体像の傷が検出されると，傷の個数を表すデータがメモリ４の記憶領域ｍ２に，傷のアドレスを示すデータがメモリ４の記憶領域ｍ４にそれぞれ記憶される（ステップ26）。
【００３７】
２駒目から５駒目の基準被写体像を表す画像データがメモリ４から読み出され，平均化される（ステップ27）。平均化された基準被写体像を表す画像データから，第１のしきい値未満の第２のしきい値以上のレベルをもつデータの箇所が２駒目から５駒目の基準被写体像の傷として検出される（ステップ28）。検出された傷の個数を表すデータがメモリ４の記憶領域ｍ１に，傷のアドレスを示すデータがメモリ４の記憶領域ｍ３にそれぞれ記憶される（ステップ29）。
【００３８】
図８は，上述のようにして検出された傷のアドレス等を用いて行われる傷補正処理の処理手順を示すフローチャートである。
【００３９】
この処理手順においても連写モードが設定されているものとするが，上述したのと同様に単写モードが設定されている場合にシャッタ・レリーズ・ボタンが複数回押されたときにも適用できる。
【００４０】
被写体にディジタル・カメラが向けられてシャッタ・レリーズ・ボタンが押される（ステップ31でＹＥＳ）。すると撮像部の電源がオンとされ（ステップ32），被写体が撮像される（ステップ33）。
【００４１】
１駒目の撮像であれば（ステップ34でＹＥＳ），メモリ４の記憶領域ｍ２に記憶されている１駒目の傷の個数を示すデータおよびメモリ４の記憶領域ｍ４に記憶されている２駒目の傷のアドレスを示すデータが読み出され，読み出されたデータを用いて１駒目の被写体像の傷補正が行われる（ステップ35）。たとえば，傷と見なされる箇所について，その箇所の周辺画素を用いた補間などにより傷補正が行われる。
【００４２】
１駒目の撮像でなければ（ステップ34でＮＯ），２駒目から５駒目のいずれかの撮像であるから，メモリ４の記憶領域ｍ１に記憶されている２駒目以降の基準被写体像の平均傷個数を示すデータおよびメモリ４の記憶領域ｍ３に記憶されている２駒目以降の基準被写体像の傷のアドレスを示すデータが読み出され，読み出されたデータを用いて傷補正が行われる（ステップ36）。
【００４３】
５駒目の撮像が行われるまでステップ33から36までの処理が繰り返される（ステップ37）。
【図面の簡単な説明】
【００４４】
【図１】ディジタル・カメラの電気的構成を示すブロック図である。
【図２】（Ａ），（Ｂ），（Ｃ）は，単写モードのタイム・チャートである。
【図３】（Ａ），（Ｂ），（Ｃ）は，連写モードのタイム・チャートである。
【図４】１駒目の基準被写体像の一例である。
【図５】２駒目の基準被写体像の一例である。
【図６】メモリの記憶領域の一部を示している。
【図７】傷検出処理手順を示すフローチャートである。
【図８】傷補正処理手順を示すフローチャートである。
【符号の説明】
【００４５】
２  ＣＣＤ
４  メモリ
８  ＣＰＵ
９  電源制御回路
ｍ３  記憶領域（第２の記憶領域）
ｍ４  記憶領域（第１の記憶領域）
【図１】
2008306507.tif 000003
【図２】
2008306507.tif 000004
【図３】
2008306507.tif 000005
【図４】
2008306507.tif 000006
【図５】
2008306507.tif 000007
【図６】
2008306507.tif 000008
【図７】
2008306507.tif 000009
【図８】
2008306507.tif 000010